(57)【要約】      （修正有）【課題】簡単かつ安価な構成であるにも拘わらず、災害時に浮屋根の状態を迅速かつ確実に把握する。【解決手段】浮屋根の状態を撮影可能に設けた撮影手段９と、撮影手段９で撮影された映像を伝送するための通信線１３と、携帯可能で、通信線１３を介して伝送された映像を表示するための表示手段１１と、表示手段１１と共に携帯可能なバッテリー１２と、バッテリー１２の電力を撮影手段９に供給するための電力線１４とを備えた構成とする。【選択図】図１
0003122694.tif 000002
【実用新案登録請求の範囲】
【請求項１】
浮屋根の状態を撮影可能に設けた撮影手段と、
前記撮影手段で撮影された映像を伝送するための通信線と、
携帯可能で、前記通信線を介して伝送された映像を表示するための表示手段と、
前記表示手段と共に携帯可能なバッテリーと、
前記バッテリーの電力を前記撮影手段に供給するための電力線と、
を備えたことを特徴とする浮屋根式タンクの監視装置。
【請求項２】
前記撮影手段、通信線及び電力線は、複数のタンクにそれぞれ設置され、
各タンクの通信線及び電力線は１箇所に集約してジョイントボックスに接続され、
前記表示手段及び前記バッテリーは、前記ジョイントボックスを介して各撮影手段と接続可能であることを特徴とする請求項１に記載の浮屋根式タンクの監視装置。
【請求項３】
前記撮影手段から通信線を介して伝送された映像を録画するための録画手段をさらに備えたことを特徴とする請求項１又は２に記載の浮屋根式タンクの監視装置。
【請求項４】
前記撮影手段によって撮影される映像がいずれのタンクのものであるのかを識別するための識別手段を備えたことを特徴とする請求項１乃至３のいずれか１項に記載の浮屋根式タンクの監視装置。
【考案の詳細な説明】
【技術分野】
【０００１】
本考案は、浮屋根式タンクの監視装置に関するものである。
【背景技術】
【０００２】
浮屋根式タンクでは、地震により収容した原油がスロッシング現象を起こし、浮屋根が傾き、油漏れやガス漏れが発生し、場合によっては引火して火災を発生し、最悪の場合、爆発する危険がある。このため、地震が発生した場合、（火災状況を含めて）浮屋根の状態を把握して早期に対処する必要がある。具体的には、浮屋根が傾いていると判断された時点で、泡消火設備により、水と泡消火薬剤を比例調合した泡水溶液に空気を吸引・発泡させてタンク内に供給することにより、火災の発生を防止したり、発生した火災を早期に鎮火させたりする必要がある。
【考案の開示】
【考案が解決しようとする課題】
【０００３】
しかしながら、浮屋根の状態は、通常、人がタンクに設置された階段を上って目視により把握するようにしており、非常に危険である。また、浮屋根式タンクは複数設置されているため、人手を介して行っていたのでは時間がかかり、手遅れになる恐れがある。また、従来からあるような監視カメラであれば、災害時の停電等で機能しなくなる危険性がある上、高価である。このため、手軽に、しかも地震等の災害時であっても確実に浮屋根の状態を把握することのできる機構が望まれていた。
【０００４】
そこで、本考案は、簡単かつ安価な構成であるにも拘わらず、災害時に浮屋根の状態を迅速かつ確実に把握することのできる浮屋根式タンクの監視装置を提供することを課題とする。
【課題を解決するための手段】
【０００５】
本考案は、前記課題を解決するための手段として、浮屋根式タンクの監視装置を、浮屋根の状態を撮影可能に設けた撮影手段と、前記撮影手段で撮影された映像を伝送するための通信線と、携帯可能で、前記通信線を介して伝送された映像を表示するための表示手段と、前記表示手段と共に携帯可能なバッテリーと、前記バッテリーの電力を前記撮影手段に供給するための電力線とを備えた構成としたものである。
【０００６】
この構成により、各タンク本体には撮影手段を設置しておくだけでよい。このため、付設作業は非常に簡単で安価に済ませることが可能となる。また、必要に応じて表示手段とバッテリーとを携帯し、撮影手段から延びる通信線及び電力線に接続しさえすればよい。すなわち、バッテリー電力により撮影手段を駆動させることができ、撮影された映像を表示手段に表示させることができる。したがって、作業者はタンク本体の上方まで上ることなく、簡単かつ安全に浮屋根の状態をモニター装置することができ、適切な判断を迅速に下すことが可能となる。
【０００７】
なお、前記通信線は前記電力線を通信線としても利用可能とすることにより、電力線搬送通信を行えるようにしてもよい。また、前記表示手段は、ノートパソコン等で代用することも可能である。
【０００８】
前記撮影手段、通信線及び電力線は、複数のタンクにそれぞれ設置され、各タンクの通信線及び電力線は１箇所に集約してジョイントボックスに接続され、前記表示手段及び前記バッテリーは、前記ジョイントボックスを介して各撮影手段と接続可能とするのが好ましい。
【０００９】
この構成により、１箇所に集約されたジョイントボックスまで表示手段とバッテリーとを携帯して行けば、通信線及び電力線を介してジョイントボックスにつながれた各タンクの撮影手段を駆動させ、表示手段に撮影された映像を表示させることができる。したがって、非常に効率よく複数のタンクの浮屋根の状態を検出することが可能となる。
【００１０】
前記撮影手段から通信線を介して伝送された映像を録画するための録画手段をさらに備えるのが好ましい。
【００１１】
この構成により、各タンクの浮屋根の状態を記録し、後に分析することが可能となる。したがって、火災の発生原因等をも特定することができ、次回あるいは他のタンクの災害時の判断に有効利用することが可能となる。
【００１２】
前記撮影手段によって撮影される映像がいずれのタンクのものであるのかを識別するための識別手段を備えるのが好ましい。
【００１３】
この構成により、複数のタンクを１箇所で検出する場合であっても、表示手段に映された映像を見れば、識別手段により一目でいずれのタンクからのものかを判断することができる。特に、録画手段を備えたものであれば、後の分析等でもタンクの特定がしやすく非常に便利である。
【００１４】
なお、前記識別手段としては、撮影手段で撮影される範囲に設けた識別部や、撮影手段自身で映像に付加したタンク番号等の識別部等、種々の構成を取ることが可能である。
【考案の効果】
【００１５】
本考案によれば、各タンクに撮影手段だけを設置しておくだけでよいので、設置費用は非常に安価である。また、撮影手段は携帯したバッテリーにより駆動させることができ、その結果撮影された映像は表示手段に表示させることができるので、作業者がタンクに上ることなく安全、簡単かつ迅速に浮屋根の状態を検出してその状態を判断することが可能となる。
【考案を実施するための最良の形態】
【００１６】
以下、本考案の実施形態を添付図面に従って説明する。
【００１７】
図１は、本実施形態に係る監視装置を備えた浮屋根式タンク１の概略図、図２はその概略断面図を示す。この浮屋根式タンク１は、タンク本体２と、このタンク本体２に貯蔵される液体（原油、ナフサ等）の水位変化に応じて昇降可能な浮屋根３（フローティングルーフ）とで構成されている。そして、図３に示すように、複数台（ここでは４台）のタンク１を防油堤４で囲むことにより、万一油漏れが発生しても周囲に広がらないように設計されている。
【００１８】
タンク本体２は、有底筒状で、上方開口部には全周に亘って外周側に鍔部５が延設されている。鍔部５の内外周縁部には手摺６が設けられ、作業者が鍔部５を移動できるようになっている。鍔部５の一部は踊り場となっており、そこからタンク本体２の外周面に沿って螺旋状に階段７が形成されている。
【００１９】
浮屋根３は、中央部が単層の屋根（シングルデッキ）で、外周部に環状の浮き箱８（ポンツーン）を備えている。なお、浮屋根３には、この箱浮屋根式のほか、二重浮屋根式、内部浮屋根式等がある。
【００２０】
監視装置は、図４に示すように、タンク本体２に設置されるカメラ９と、複数台のカメラ９に対して１台設置されるジョイントボックス１０と、カメラ９から送信された映像を受信して表示するためのモニター装置１１と、前記各カメラ９に電力を供給するためのバッテリー１２とを備える。
【００２１】
カメラ９には、例えば、防爆カメラ（例えば、特許第３５２６８１４号公報参照）が使用可能である。防爆カメラを使用する場合、設置場所の環境が悪くても、浸水や錆の発生等の不具合を生じにくく安心である。特に、本実施形態では、タンク本体２に設置されるのはカメラ９のみであるので、長期に亘って安定した使用状態を維持することができる。
【００２２】
カメラ９は、複数箇所に設置された各タンク本体２に１台（必要に応じて複数台）設けられている。カメラ９の設置場所は、タンク本体２の上部であって、浮屋根３の状態を撮影可能な場所であれば、いずれでもよい。但し、浮屋根３はタンク本体２内に貯蔵した液体の水位の低下に伴って下方に移動するので、低い位置まで移動しても撮影可能とする必要がある。具体的に、カメラ９の設置場所としては、簡単な治具を使用して手摺６等に取り付ければよい。
【００２３】
なお、カメラ９によって撮影する領域内に、撮影するタンク１がいずれのタンク１であるのかを示す識別部材を設けるのが好ましい。この識別部材は、カメラ９自身に設けてもよいし、タンク本体２側に設けてもよい。また、後述するモニター装置１１側で電子的に画面内に表示させるようにしても構わない。
【００２４】
ジョイントボックス１０は、防油堤４の外部に、複数台のカメラ９（ここでは、４台）に対して１台設けられている。各カメラ９とジョイントボックス１０とは、同軸ケーブルや光ファイバケーブルからなる通信線１３及び電力線１４で接続されている。但し、通信線１３と電力線１４は、光／電気変換技術を使用することにより、双方の機能を兼ね備えた構成とすることもできる。通信線１３及び電力線１４は、図１に示すように、筒状体１５内に挿通された状態で、タンク本体２の上端鍔部から垂下させ、地面に沿って防油堤４の外部まで導かれる。筒状体１５は、位置ずれを防止するために、適宜、タンク本体２の外周面や地面に固定される。但し、筒状体１５は、タンク本体２の階段７の手摺６に沿って配置し、適宜、結束バンド等で手摺６に固定すれば、より一層、その敷設作業を容易に行うことができる。
【００２５】
ジョイントボックス１０は、各カメラ９から接続された通信線１３及び電力線１４を、次に説明するモニター装置１１と切り替えることができるようにスイッチング部を備えている。
【００２６】
モニター装置１１は、表示部１６、制御部１７、入出力部１８を備える。但し、これらが一体化された市販のビデオウォークマンやノートパソコン等を使用することも可能である。
【００２７】
表示部１６は、カメラ９から送信された映像を表示し、液晶パネル等、種々のディスプレイを使用できる。制御部１７は、カメラ９から送信された映像を処理し、表示部１６に表示させる。また、メモリに記憶させたテーブルを参照してどのカメラ９から送信されて来たデータであるのかを判別し、表示部１６にいずれのタンク１であるのかを示す識別表示を行うように構成することもできる。入出力部１８には、通信線１３が取外可能に接続される。
【００２８】
なお、モニター装置１１は、単にカメラ９から送信された映像を表示部１６に表示させるだけのものであってもよいが、ビデオテープ、ハードディスク、ＤＶＤ等の記憶媒体に録画可能な録画機能を搭載しているのが好ましい。また、無線等の通信手段により本部に映像を送信可能な機能を備えていてもよい。
【００２９】
バッテリー１２には、ビデオカメラ等に使用される携帯可能な充電式の小型バッテリー（例えば、ＤＣ５ＶやＤＣ１２Ｖのバッテリー１２）が使用可能である。但し、乾電池等の使い捨てタイプのものも使用可能である。バッテリー１２は、前述のカメラ９とモニター装置１１の双方に電力を供給する。但し、バッテリー１２は、各装置用に別個に用意してもよい。
【００３０】
次に、前記構成の浮屋根式タンク１での監視装置の動作について説明する。
【００３１】
地震等が発生し、浮屋根３が傾いてタンク本体２に貯蔵した液体が浮屋根３の上方まで流出する恐れがある場合、そのまま放置しておくと、火災発生の原因となる。浮屋根式タンク１で一旦火災が発生すると消火するのは非常に困難である。
【００３２】
そこで、作業員は、モニター装置１１及びバッテリー１２を携帯して現場に出かけ、複数台のカメラ９に対して１台設置したジョイントボックス１０で、通信線１３にモニター装置１１を接続し、電力線１４にバッテリー１２を接続する。接続したバッテリー１２によりカメラ９に電力を供給可能となり、カメラ９で撮影した映像を通信線１３を介してモニター装置１１にて視認可能となる。作業員はモニター装置１１に表示された映像から浮屋根３の状態を確認する。映像には、識別部材によりタンク１を識別可能な表示がなされる。したがって、作業者がジョイントボックス１０でバッテリー１２及びモニター装置１１を間違って異なるタンク１のカメラ９に接続してしまったとしても、画面上で確認することができる。
【００３３】
モニター装置１１に表示された映像から判断し、火災が発生する危険度が高いか、あるいは、既に火災が発生しているならば、電話や無線等で本部に連絡し、泡消火設備を駆動して火災の未然防止あるいは消火活動を開始させる。また、録画機能を搭載したものであれば、必要に応じてモニター装置１１に表示させた映像を録画しておく。
【００３４】
以下同様にして、ジョイントボックス１０でバッテリー１２及びモニター装置１１の接続を切り替え、順次、各タンク１に設置したカメラ９からの映像をモニター装置１１に表示させて点検を行い、適宜、消火活動を開始させればよい。但し、バッテリー１２及びモニター装置１１の接続は、自動的に切替可能な構成を採用してもよいし、バッテリー１２で全てのカメラ９を駆動させ、モニター装置１１の表示部１６にマルチ画面で一度に表示させるようにしても構わない。
【００３５】
このように、１箇所に設置したジョイントボックス１０で、バッテリー１２及びモニター装置１１の接続を切り替えるだけで、接続した全てのカメラ９で浮屋根３の状態を点検することができる。したがって、作業員がタンク本体２の上部まで移動する必要がなく、１箇所でまとめて点検できるので、作業効率がよい。タンク１にはカメラ９（防爆カメラ）を設置しているだけであるので、長期に亘って使用しても、故障等が発生しにくい。また、携帯したバッテリー１２で駆動させることができるので、いざという時に使用できないといった不具合も発生しない。
【００３６】
なお、前記実施形態では、カメラ９を予め各浮屋根式タンク１に設置しておくように構成したが、使用時に設置することも可能である。この場合、コードリールに巻き付けた映像信号用コードと他のコードリールに巻き付けた電源用コードをそれぞれカメラ９に接続しておく。そして、このカメラ９を各コードリールからコードを巻き戻しながらタンクへと運び、取付金具にて所望の位置に設置する。コードリールには、例えば、全長９０ｍのものを使用するが、必要に応じて防爆コンセントによって接続すれば、さらに延長することが可能となっている。そして、映像信号用コードリールは、BNC（Bayonet Neill-Concelman）コネクタからRCAコネクタを介してモニター装置１１に接続すればよい。また、電源用コードリールは、先端のプラグを介して電源に接続すればよい。精油所等では移動には一般に自動車が使用されるので、電源としては車両シガーライターソケットを備えた車載用電源を使用することができる。
【図面の簡単な説明】
【００３７】
【図１】本実施形態に係る浮屋根式タンクの概略正面図である。
【図２】図１の断面図である。
【図３】図１に示す浮屋根式タンクの設置状態を示す平面図である。
【図４】図１の浮屋根式タンクに採用されるカメラ、ジョイントボックス、モニター装置、バッテリーの接続状態を示す斜視図である。
【符号の説明】
【００３８】
１…タンク
２…タンク本体
３…浮屋根
４…防油堤
５…鍔部
６…手摺
７…階段
８…浮き箱
９…カメラ
１０…ジョイントボックス
１１…モニター装置
１２…バッテリー
１３…通信線
１４…電力線
１５…筒状体
１６…表示部
１７…制御部
１８…入出力部
【図１】
0003122694.tif 000003
【図２】
0003122694.tif 000004
【図３】
0003122694.tif 000005
【図４】
0003122694.tif 000006